(57)【要約】【課題】撮像装置を大型化せずに、操作性を向上させることができるレンズフード装置を提供する。【解決手段】レンズバリアユニット３２の光軸方向の前後を覆うとともに光軸が通る位置に非円形の開口部が形成されているバリアケース１１と、バリアケース１１の主平面と平行な方向に回動自在に配され、かつ開口部の全面を覆う位置と前記開口部を開放する位置との間を回動可能に構成されている複数枚のレンズバリア１４〜１７とを備え、レンズバリア１４〜１７は、開口部を開放する位置にある時、開口部に露出しないようにバリアケース１１内に収納される。【選択図】図３
2006195418.tif 000002
【特許請求の範囲】
【請求項１】
被写体の反射光像を集光する対物レンズを具備する鏡筒手段の先端部に装着され、前記対物レンズの光軸中心に直交し当該光軸中心を中心軸とする開口部を有するレンズフード装置であって、
前記開口部の全面を覆う位置と、前記開口部を開放する位置との間を回動自在に摺動する複数枚のレンズバリアと、
前記複数枚のレンズバリアが、前記開口部を開放する位置にある時、当該複数枚のレンズバリアを収納する収納部とを備えることを特徴とするレンズフード装置。
【請求項２】
請求項１に記載のレンズフード装置において、
前記収納部は、前記複数枚のレンズバリアが係合されている回動軸を備えるとともに前記被写体側に位置する第１のバリアケース部材と、前記第１のバリアケース部材に係合されている第２のバリアケース部材とで構成され、
前記第２のバリアケース部材には、前記中心軸周りに当該第２のバリアケース部材を貫通する溝部を備え、
前記第１のバリアケース部材と前記第２のバリアケース部材との間隙には、前記溝部を貫通すると共に当該溝部に遊挿係合される爪部が立設されているバリア開閉スイッチング部材を備え、
前記第２のバリアケース部材における前記第１のバリアケース部材の対向面側に、前記溝部を貫通した前記爪部が嵌合される凹部を備えるバリア駆動伝達部材を備えるレンズフード装置。
【請求項３】
請求項２記載のレンズフード装置において、
前記収納部は、
前記第１のバリアケース部材を介して前記収納部を覆う被覆部材と、前記被覆部材と固着係合する着脱部材との間に収納され、
前記着脱部材は、前記鏡筒手段の先端部に着脱自在に係合されているレンズフード装置。
【請求項４】
請求項３記載のレンズフード装置において、
前記第１のバリアケース部材と前記第２のバリアケース部材とは前記開口部を備え、
前記第２のバリアケース部材と固定係合し、前記被覆部が回転自在に係合すると共に、前記開口部が形成する開口面積以上の開口を有する第２の開口部を備えるマスク部材を備えるレンズフード装置。
【請求項５】
被写体の反射光像を集光する対物レンズを具備する鏡筒手段と、、
前記対物レンズで集光された前記反射光像を受光し、映像信号に変換する撮像素子と、
前記撮像素子で変換された前記映像信号を情報媒体に格納させる情報格納手段と、
前記鏡筒手段の先端部に請求項１記載のレンズフード装置とを備えることを特徴とする撮像装置。
【請求項６】
請求項５に記載の撮像装置であって、
前記レンズフード装置と前記先端部との係合部位に、前記溝部の形状に沿った前記爪部の移動を生起する回動部材を備える撮像装置。
【請求項７】
請求項５記載の撮像装置であって、
前記溝部の形状に沿った前記爪部の移動力を付与する駆動手段をさらに備え、
前記駆動手段に前記移動力の付与開始を指示する指示手段を備える撮像装置。
【発明の詳細な説明】
【技術分野】
【０００１】
本発明は、ビデオカメラやデジタルスチルカメラなどの撮像装置に利用して有効なレンズフード装置に関するものである。
【背景技術】
【０００２】
一般的にビデオカメラの撮影において、本体のレンズ先端部にレンズフード装置を取り付け、散乱光がレンズに入り込むのを防止している。また、ビデオカメラの未使用時には、レンズキャップを本体のレンズ鏡筒の被写体側先端部に取り付け、レンズを保護している（例えば、特許文献１〜３参照）。
【０００３】
以下、従来のレンズフードおよびレンズキャップについて説明する。
【０００４】
図３２〜図３５は、従来のレンズフードおよびレンズキャップをビデオカメラ本体に取り付けた状態を示したものである。図３２はレンズキャップおよびレンズフードを取り外した状態を示す斜視図である。図３３はレンズフードおよびレンズキャップをビデオカメラ本体に取り付けた状態を示す斜視図である。図３４はレンズキャップが紐により本体からぶら下がった状態を示す斜視図である。図３５はレンズキャップをグリップベルトに取り付けた状態を示す斜視図である。
【０００５】
図において、ビデオカメラ本体１０１は、入射される光信号を電気信号に変換し、電気信号から映像信号（及び音声信号）を生成して、記録媒体に対して記録再生可能な装置である。レンズ飾り部材１０２は、内部にレンズユニットや撮像素子などの光学手段を備え、レンズユニットを覆う外郭筺体であり、樹脂部品より構成されている。レンズ前枠１０３は、レンズ飾り部材１０２の光軸方向先端に設けられており、レンズユニットを前面側から固定するものである。また、その内周部には雌ネジ部１０３ａが形成されており、レンズフード１０４およびコンバージョンレンズ（図示せず）を取り付けることができる。レンズフード１０４は、レンズ前面部に取り付けることにより、散乱光をカットし、映像信号におけるフレアを防ぐ。
【０００６】
レンズキャップ１０５は、レンズ前面部に配されたレンズフード１０４に取り付けることにより、レンズの傷つきや汚れを防ぐものである。レンズキャップ１０５は、レンズ前枠１０３およびレンズフード１０４に取り付けることができる。穴部１０５ａは、レンズキャップ１０５の裏面に設けられ、保持突起１０７の突起部と嵌合されることで、レンズキャップ１０５を本体グリップ部に取り付けることができる。レンズキャップ紐１０６は、ビデオカメラ本体１０１とレンズキャップ１０５とを連結しており、レンズキャップ１０５をレンズフード１０４から離脱させている時に、落下するのを防止するために配されている。これにより、レンズキャップ１０５の紛失及び落下を防止することができる。
【０００７】
保持突起１０７は、本体グリップ部に取り付けられており、レンズキャップ１０５を着脱することができる。突起部１０７ａは、保持突起１０７に形成され、レンズキャップ１０５の裏面に設けられた穴１０５ａと嵌合させることができる。
【０００８】
レンズ部１０８は、レンズユニットを構成しており、レンズ前枠１０３に設けられた円形の開口部を介して一部が露出している。
【０００９】
以上のように構成された従来の遮光装置について、以下その動作について説明する。
【００１０】
図３３に示すように、ビデオカメラ未使用時は、レンズ部１０８を保護するために、ネジの嵌合によりビデオカメラ本体１０１にレンズフード１０４を取り付け、その上にレンズキャップ１０５を取り付ける。
【００１１】
ビデオカメラ撮影時は、図３４に示すようにレンズキャップ１０５をレンズフード１０４からはずし、レンズキャップ１０５の紛失を防ぐため、レンズキャップ紐１０６によって本体からぶらさげる。もしくは、図３５に示すように、保持突起１０７の突起部１０７ａを、レンズキャップ１０５の穴部１０５ａを差し込み、レンズキャップ１０５を本体グリップ部に固定する。
【特許文献１】特開平１１−１０９４４１号公報
【特許文献２】特開２００２−７２２８９号公報
【特許文献３】実用新案登録第２５３５０６８号公報
【発明の開示】
【発明が解決しようとする課題】
【００１２】
しかしながら上記従来の構成では、以下のような問題点があった。
【００１３】
（１）．図３２に示すように、レンズキャップ１０５をレンズフード１０４の前に取り付ける構成であるため、ビデオカメラ本体１０１の大きさが大きくなり、携帯性を低下させてしまう。特に、レンズ光軸方向の長さが長くなってしまう。
【００１４】
（２）．図３４に示すように、レンズキャップ１０５をビデオカメラ本体１０１に装着させる際、レンズキャップ１０５の裏面側に一対設けられた係合爪１０５ｂを、レンズフード１０４の内周の溝部１０４ａに係合させているだけなので、ビデオカメラ本体１０１を落下させてしまった時などに生じる衝撃により、レンズキャップ１０５がビデオカメラ本体１０１から容易に外れてしまう可能性がある。レンズキャップ１０５が外れてしまうと、レンズ部１０８の表面に傷を付けてしまったり、埃が付着してしまう。
【００１５】
（３）．撮影時、図３４に示すようにレンズキャップ１０５をレンズキャップ紐１０６でビデオカメラ本体１０１からぶら下げた場合、レンズキャップ１０５が自由に移動するため、撮影等の妨げになる可能性がある。
【００１６】
（４）．撮影時、図３５に示すようにレンズキャップ１０５を保持突起１０７に取り付け、本体グリップ部に固定させた場合、撮影状態におけるビデオカメラ本体１０１の大きさが大きくなる。
【００１７】
（５）．図３５に示すようにレンズキャップ１０５を保持突起１０７に取り付け、本体グリップ部に固定させて撮影を行っている時に、穴１０５ａと突起部１０７ａとの嵌合が弱かったり、外部から加わる衝撃などによって、レンズキャップ１０５が保持突起１０７から外れて図３４に示す状態になる可能性がある。撮影中に図３４に示す状態になってしまうと、レンズキャップ紐１０６によって揺れるレンズキャップ１０５がビデオカメラ本体１０１に当たってしまう可能性があり、当たった際の衝撃音が録音されてしまう。
【００１８】
（６）．ビデオカメラ本体１０１を撮影対象物（被写体）に向けて構えた状態では保持突起１０７の位置は死角にあり、レンズキャップ１０５を本体グリップ部に取り付けることが難しい。よって、図３３に示す状態からレンズキャップ１０５を取り外して、図３５に示すように撮影が可能な状態に至るまでに、時間がかかってしまう。すなわち、撮影者がビデオカメラ本体１０１を手に保持し、被写体側にレンズを向けた状態の時（つまり通常撮影時）、保持突起１０７の突起部１０７ａは被写体側に位置しており、被写体側に対して対向した撮影者側からは保持突起１０７の突起部１０７ａを容易に目視できない。この状態で、レンズキャップ１０５を保持突起１０７に装着しようとしても、容易に穴部１０５ａに突起部１０７ａを挿入させることができない。
【００１９】
本発明は、上記課題を鑑み、撮像装置を大型化せずに、操作性を向上させることができるレンズフード装置を提供するものである。また、そのレンズフード装置を着脱可能な撮像装置を提供するものである、
【課題を解決するための手段】
【００２０】
上記課題を解決するために本発明のレンズフード装置は、被写体の反射光像を集光する対物レンズを具備する鏡筒手段の先端部に装着され、前記対物レンズの光軸中心に直交し当該光軸中心を中心軸とする開口部を有するレンズフード装置であって、前記開口部の全面を覆う位置と、前記開口部を開放する位置との間を回動自在に摺動する複数枚のレンズバリアと、前記複数枚のレンズバリアが、前記開口部を開放する位置にある時、当該複数枚のレンズバリアを収納する収納部とを備えるものである。
【００２１】
また、本発明の撮像装置は、被写体の反射光像を集光する対物レンズを具備する鏡筒手段と、前記対物レンズで集光された前記反射光像を受光し、映像信号に変換する撮像素子と、前記撮像素子で変換された前記映像信号を情報媒体に格納させる情報格納手段と、前記鏡筒手段の先端部に請求項１記載のレンズフード装置とを備えるものである。
【発明の効果】
【００２２】
本発明のレンズフード装置は、レンズを保護することができるレンズバリアが収納自在に配されていることにより、大型化せずにレンズキャップの機能を備えることができる。
【００２３】
また、レンズフード装置は、撮像装置の鏡筒に対して螺合させて装着されるため、振動や衝撃が加わっても、容易に鏡筒から離脱しない。また、誤って撮像装置を落下させてしまった場合であっても、レンズフード装置は鏡筒から容易に外れることはなく、レンズを保護することができる。
【００２４】
また、レンズバリアの開閉を容易に行うことができるため、操作性を向上させることができる。
【発明を実施するための最良の形態】
【００２５】
本発明のレンズフードは、前記収納部は、前記複数枚のレンズバリアが係合されている回動軸を備えるとともに前記被写体側に位置する第１のバリアケース部材と、前記第１のバリアケース部材に係合されている第２のバリアケース部材とで構成され、前記第２のバリアケース部材には、前記中心軸周りに当該第２のバリアケース部材を貫通する溝部を備え、前記第１のバリアケース部材と前記第２のバリアケース部材との間隙には、前記溝部を貫通すると共に当該溝部に遊挿係合される爪部が立設されているバリア開閉スイッチング部材を備え、前記第２のバリアケース部材における前記第１のバリアケース部材の対向面側に、前記溝部を貫通した前記爪部が嵌合される凹部を備えるバリア駆動伝達部材を備えることが好ましい。
【００２６】
また、前記収納部は、前記第１のバリアケース部材を介して前記収納部を覆う被覆部材と、前記被覆部材と固着係合する着脱部材との間に収納され、前記着脱部材は、前記鏡筒手段の先端部に着脱自在に係合されている構成とすることができる。
【００２７】
また、前記第１のバリアケース部材と前記第２のバリアケース部材とは前記開口部を備え、前記第２のバリアケース部材と固定係合し、前記被覆部が回転自在に係合すると共に、前記開口部が形成する開口面積以上の開口を有する第２の開口部を備えるマスク部材を備える構成とすることができる。
【００２８】
また、本発明の撮像装置は、前記レンズフード装置と前記先端部との係合部位に、前記溝部の形状に沿った前記爪部の移動を生起する回動部材を備える構成とすることができる。
【００２９】
また、前記溝部の形状に沿った前記爪部の移動力を付与する駆動手段をさらに備え、前記駆動手段に前記移動力の付与開始を指示する指示手段を備える構成とすることができる。
【００３０】
（実施の形態１）
図１は、本発明の実施の形態１のレンズバリアユニットを収めた撮像装置の構成を示す斜視図である。図２（ａ）および図２（ｂ）は、撮像装置のレンズバリアが開いた状態を示す正面図及び要部斜視図である。図３（ａ）および図３（ｂ）はレンズバリアを閉じた状態を示す正面及び要部斜視図である。図４（ａ）および図４（ｂ）はレンズバリアユニットの斜視図である。図５〜図１０はレンズバリアユニットの構成を示す分解斜視図および正面図である。図１１〜図１４はバリア開閉機構を備えたフロント部ユニットの構成を示す分解斜視図である。
【００３１】
図１に示すように、ビデオカメラ本体８は、入射される光信号を電気信号である映像信号に変換する撮像素子（ＣＣＤイメージセンサー等）や、撮像素子で生成された映像信号を音声信号とともにビデオテープや光ディスクなどの情報格納手段に対して記録再生可能なものであり、撮像装置の一種である。なお、本実施の形態ではビデオカメラを一例に説明しているが、少なくともレンズなどの光学手段と、レンズを保護するレンズキャップなどの保護手段を備えたレンズフードと、レンズが内蔵されかつレンズフードを着脱可能な鏡筒とを備えていればよく、ビデオカメラ以外にデジタルスチルカメラや銀塩カメラであってもよい。銀塩カメラの場合は、ＣＣＤイメージセンサーなどのような光電変換により映像信号を生成する手段は備えていないが、一般に銀塩カメラに搭載されているフィルムに被写体の光学信号を感光させる手段を、撮像手段に含むものとする。
【００３２】
次に、図５を参照して、バリアスイッチリング９とバリアカムリング１０と第１のバリアケース１１の各構成を説明する。
【００３３】
バリアスイッチリング９は、バリア開閉スイッチング部材として、フロント部ユニット３３（後述）に内蔵されたバリア駆動リング２２と係合されて配されている。また、バリア駆動リング２２の回転力を、バリアカムリング１０に伝えている。また、バリアスイッチリング９は、第１のバリアケース１１のガイド１１ｃに沿って、図６の矢印ＡまたはＢ方向へ一定量回転可能なように構成されている。バリアケース前部と第１及び第２のバリアリングバネ１２及び１３で連結され、レンズバリアが閉まる方向（図６の矢印Ｂ方向）にバネ力によって強制的に付勢されている。
【００３４】
突起部９ａおよび９ｂは、爪部として、バリアスイッチリング９に立設されており、バリア駆動リング２２（後述）のはさみ形状部２２ｄおよび２２ｃと係合される。突起部９ａ及び９ｂの上面は斜面形状になっており、バリア駆動リング２２に対して回転方向位相が違う場合でも、この斜面に案内されてバリアスイッチリング９がバリア駆動リング２２と同じ位相まで回転され、係合されるようになっている。
【００３５】
突起部９ｃは、バリアスイッチリング９の裏面に設けられており、バリアカムリング１０の溝部１０ｃと係合されて、バリアスイッチリング９の回転力をバリアカムリング１０に伝える。
【００３６】
引っ掛け部９ｄは、引っ掛け形状をしたバリアスイッチリング９の一部であり、第１のバリアリングバネ１２を引っ掛けることができる。第１のバリアリングバネ１２のもう一端は第１のバリアケース１１の引っ掛け部１１ｋに引っ掛けられ、バネ力によりバリアスイッチリング９を回転付勢させている。
【００３７】
引っ掛け部９ｅは、引っ掛け形状をしたバリアスイッチリング９の一部であり、第２のバリアスイッチバネ１３を引っ掛けることができる。第２のバリアスイッチバネ１３の他端はバリアカムリング１０の引っ掛け部１０ｄに引っ掛けられ、バネ力によりバリアカムリング１０を回転付勢させている。
【００３８】
リブ９ｆおよび９ｇは、バリアスイッチリング９の一部であり、バリアスイッチリング９の主面より一段下がった位置に設けられている。また、リブ９ｆおよび９ｇは、図５における矢印ａに示すように移動されて、第１のバリアケース１１の傘状のリブ１１ｇ及び１１ｈの下側に配され、リブ１１ｇ及び１１ｈの下側において摺動可能に構成され、バリアスイッチリング９とバリアカムリング１０が第１のバリアケース１１から離脱するのを防いでいる。
【００３９】
バリアカムリング１０は、バリアスイッチリング９の回転運動を、カム運動によって第１〜第４のバリア羽根１４〜１７（後述）に伝える。また、バリアカムリング１０は、バリアスイッチスイッチリング９とともに、第１のバリアケース１１に保持される。
【００４０】
リブ１０ａおよび１０ｂは、はさみ形状をし、バリアカムリング１０に設けられている。リブ１０ａおよび１０ｂは、第３のバリア羽根１４および第４のバリア羽根１５の突起軸１４ａ及び１５ａと係合され、カム運動により第３及び第４のバリア羽根１４及び１５を動作させている。
【００４１】
溝部１０ｃは、バリアカムリング１０に設けられており、バリアスイッチリング９の突起部９ｃと係合されて、バリアスイッチリング９の回転をバリアカムリング１０に伝えている。
【００４２】
引っ掛け部１０ｄは、引っ掛け形状をし、バリアカムリング１０の一部に配されている。また、引っ掛け部１０ｄは、第２のバリアリングバネ１３（後述）の他端を引っ掛けることができる。第２のバリアリングバネ１３の一端は、バリアスイッチリング９の引っ掛け部９ｅに引っ掛けられ、バネ力によりバリアカムリング１０を回転付勢させている。
【００４３】
溝部１０ｅは、バリアカムリング１０に設けられている。バリア開閉時、バリアケース前部の突起部から逃げるような大きさになっているが、第１のバリアケース１１（後述）の突起部１１ｆによって、一定以上回転されないようになっている。これはバリアユニット組立時、バリアカムリング１０がバネ力により一定以上回転して、組立が困難になることを防いでいる。
【００４４】
第１のバリアケース１１は、レンズバリアユニット３２の外郭筺体の一部である。
【００４５】
突起部１１ａおよび１１ｂは、第１のバリアケース１１に設けられたピン形状の部材であり、それぞれ第３のバリア羽根１４および第４のバリア羽根１５の孔部１４ｂ及び１５ｂ、第１のバリア羽根１６および第２のバリア羽根１７の孔部１６ａ及び１７ａに挿通され、バリア羽根１４〜１７を回動自在に支持している。すなわち、突起部１１ａ及び１１ｂは、バリア羽根１４〜１７の回動軸である。
【００４６】
リブ１１ｃおよび１１ｄは、第１のバリアケース１１の開口部１１ｅの周囲に沿って設けられており、バリアスイッチリング９およびバリアカムリング１０が摺動する際のガイドとなっている。
【００４７】
開口部１１ｅは、第１のバリアケース１１に設けられ、外部から入射される光信号が通過される。開口部１１ｅの大きさは、開口部１１ｅの周囲にバリア羽根１４〜１７を収納でき、かつレンズに入射する光がケラレない（映像信号にケラレが発生しない）ような形状及び寸法に設定されている。
【００４８】
突起部１１ｆは、バリアケース前部に設けられており、溝部１０ｅと係合されてバリアカムリング１０が一定以上回転することを防いでいる。
【００４９】
リブ１１ｇおよび１１ｈは、第１のバリアケース１１の開口部１１ｅ付近に設けられた傘状の部材であり、バリアスイッチリング９のリブ９ｆ及び９ｇに係合されて摺動し、バリアカムリング１０およびバリアスイッチリング９が第１のバリアケース１１から離脱するのを防いでいる。
【００５０】
突起部１１ｊおよび１１ｉは、第１のバリアケース１１の外周面に設けられており、第２のバリアケース１８（後述）の外周面に設けられた突起部１８ｄ及び１８ｅと嵌合される。また、突起部１１ｊおよび１１ｉは、フードマスク２０（後述）に挿入する際の第１のバリアケース１１と第２のバリアケース１８との仮止めの役割を果たしている。
【００５１】
突起部１１ｋは、第１のバリアケース１１に設けられ、引っ掛け形状をし、第１のバリアリングバネ１２を引っ掛けることができる。第１のバリアリングバネ１２のもう一方は、バリアスイッチリング９の引っ掛け部９ｄに引っ掛けられ、バリアスイッチリング９をバネ力により回転付勢させている。
【００５２】
図７に示すように、第１のバリアリングバネ１２は、例えばコイルバネなどの弾性部材で構成されている。また、第１のバリアリングバネ１２は、両端に円形状部を備え、図７における矢印ｂに示すように、一方の端部が第１のバリアケース１１の引っ掛け部１１ｋに引っ掛けられ、他方の端部がバリアスイッチリング９の引っ掛け部９ｄに引っ掛けられている。これにより、第１のバリアケース１１とバリアスイッチリング９とを連結させている。また、第１のバリアリングバネ１２は、バリアスイッチリング９をバリア羽根１４〜１７が開く方向、すなわちレンズバリアユニット３２を背面から見て、時計まわりの方向に回転する方向に、常に負荷（付勢力）をかけている。
【００５３】
以下、バリアリング、バリア羽根の回転方向を述べる時は、レンズバリアユニット３２を背面（すなわち、ビデオカメラ本体８に装着した際のビデオカメラ本体８側の面）側から見た方向とする。
【００５４】
図７に示すように、第２のバリアリングバネ１３は、例えばコイルバネなどの弾性部材で構成されている。また、第２のバリアリングバネ１３は、両端に円形状部を備え、図７における矢印ｂに示すように、一方の端部がバリアカムリング１０の引っ掛け部１０ｄに引っ掛けられ、他方の端部がバリアスイッチリング９の引っ掛け部９ｅに引っ掛けられている。これにより、バリアカムリング１０とバリアスイッチリング９とを連結させている。また、第２のバリアリングバネ１３は、バリアスイッチリング９の反時計回り方向の回転力を、第２のバリアリングバネ１３を介してバリアカムリング１０及びバリアスイッチリング９に伝えている。また、バリアカムリング１０とバリアスイッチリング９とをバネで連結しているため、バリアカムリング１０にバリアスイッチリング９以外の外的な力（閉じているバリア羽根１４〜１７を外部の力で動かす時など）が加わった時、バリアカムリング１０をバリアスイッチリング９とは反対の方向に回転させることが可能である。
【００５５】
図８に示すように、バリア羽根１４〜１７は、レンズバリアユニット３２の光軸略中央に開閉自在に配されており、本実施の形態では４枚の羽根から構成されているが、羽根の枚数はこれに限定されるものではない。また、バリア羽根１４〜１７は、開閉動作時、光軸に略直交する方向へ移動される。以下、各羽根の構成について説明する。
【００５６】
図８に示すように、第３のバリア羽根１４は、四枚のバリア羽根のうちの一枚であり、バリアカムリング１０の回転動作に連動して開閉動作される。また第３のバリア羽根１４の開閉の動きは、第１のバリア羽根１６にリブ（以下説明）により伝達させることができる。また、第３のバリア羽根１４は、矢印Ｃに示すようにバリアケースユニット３１ａに装着される。
【００５７】
突起部１４ａは、第３のバリア羽根１４の表面側（第１のバリア羽根１６と対向する側）に設けられたピン形状の部材である。また、突起部１４ａは、バリアカムリング１０のはさみ形状リブ１０ａと係合し、バリアカムリング１０が回転して孔部１４ｂを支点としてカム運動を行った際に、第３のバリア羽根１４を開閉動作させる。
【００５８】
孔部１４ｂは、第３のバリア羽根１４に設けられており、第３のバリア羽根１４が回動自在なように、第１のバリアケース１１のピン形状の突起部１１ａが挿通係合されている。
【００５９】
外周部１４ｃは、第３のバリア羽根１４の外周の一部であり、この外周部１４ｃに第１のバリア羽根１６の連結リブ１６ｄを当接あるいは係合させ、第１のバリア羽根１６に時計回りの方向の回転力（羽が開く力）を伝えている。
【００６０】
リブ１４ｄは、第３のバリア羽根１４の裏面側（第１のバリア羽根１６に対向しない側）に設けられている。レンズバリアユニット３２をビデオカメラ本体８に取りつけ、バリア羽根１４〜１７を閉じた状態において、バリア羽根１４〜１７に正面から無理な力が加わったとき、レンズ表面にリブ１４ｄの先端を当てて、バリア羽根１４〜１７の著しい変形を防いでいる。しかし、レンズバリアは、本来はレンズの傷を防ぐものであり、通常使用時はリブ１４ｄがレンズ面に当たらないように配置されており、バリア羽根１４〜１７に力が加わったときのみ、リブ１４ｄの先端がレンズ面に当たるように構成されている。
【００６１】
リブ１４ｅは、第３のバリア羽根１４の内側周辺に設けられ、リブ１４ｅの主平面は第３のバリア羽根１４の裏面側の主平面に対して、高さが低く構成されている。これにより、バリア羽根１４〜１７が閉じた時、リブ１４ｅと対称形状をした第４のバリア羽根１５のリブ１５ｅと重なり合って係合されることによって、遮光性を向上させている。
【００６２】
リブ１４ｆは、第３のバリア羽根１４の表面に設けられ、第１のバリア羽根１６の外周部１６ｂにリブ１４ｆを当てることによって、第１のバリア羽根１６に反時計回りの方向の回転力（羽が閉じる力）を伝えている。
【００６３】
図８に示すように、第４のバリア羽根１５は、四枚のバリア羽根１４〜１７のうちの一枚であり、バリアカムリング１０の回転動作により開閉動作される。また、第４のバリア羽根１５の開閉の動きは、リブ（後述）によって第２のバリア羽根１７に伝えられる。また、第４のバリア羽根１５は、矢印Ｃに示すようにバリアケースユニット３１ａに装着される。
【００６４】
突起部１５ａは、第４のバリア羽根１５の表面側（第２のバリア羽根１７に対向した側）に設けられたピン形状の部材である。また、突起部１５ａは、バリアカムリング１０のはさみ形状リブ１０ｂと係合して配されており、バリアカムリング１０が回転することで、孔部１５ｂを支点としてカム運動を行い、第４のバリア羽根１５を開閉動作させる。なお、第４のバリア羽根１４は、突起部１１ｂを軸に回動運動を行う。
【００６５】
孔部１５ｂは、第４のバリア羽根１５に設けられており、第４のバリア羽根１５が回動自在なように、第１のバリアケース１１のピン形状の突起部１１ｂが挿通係合されている。
【００６６】
外周部１５ｃは、第４のバリア羽根１５の外周の一部である。第４のバリア羽根１５が開く方向へ回動する時、外周部１５ｃが第２のバリア羽根１７のリブ１７ｃに当たり、第２のバリア羽根１７に時計回りの方向の回転力（羽が開く力）を伝えている。
【００６７】
リブ１５ｄは、第４のバリア羽根１５の裏面側（第２のバリア羽根１７に対向しない側）に設けられており、レンズバリアユニット３２をビデオカメラ本体８に取りつけ、バリア羽根１４〜１７を閉じた状態において、バリア羽根１４〜１７を不必要に無理に指などで正面から押したとき、レンズ表面にリブ１５ｄが当接されることにより、バリア羽根１４〜１７の著しい変形を防ぐことができる。本来は、レンズバリアはレンズの傷を防ぐものであり、通常使用時はこのリブ１５ｄはレンズ面に当たらないように構成され、不必要にバリア羽根１４〜１７を押されたときのみ、リブ１４ｄの先端がレンズ面に当たるように構成されている。
【００６８】
リブ１５ｅは、第４のバリア羽根１５の内側周辺に設けられており、リブ１５ｅの主平面は第４のバリア羽根１５の表面側の主平面に対して、高さが低くなるように構成されている。これにより、バリア羽根１４〜１７が閉じた時、リブ１５ｅと対称形状をした第３のバリア羽根１４のリブ１４ｅとが重なり合うため、遮光性を向上させることができる。
【００６９】
リブ１５ｆは、第４のバリア羽根１５の表面に設けられており、第２のバリア羽根１７の外周部１７ｂにリブ１５ｆを当てることによって、第２のバリア羽根１７に反時計回りの方向の回転力（羽が閉じる力）を伝えている。
【００７０】
図８に示すように、第１のバリア羽根１６は、四枚のバリア羽根１４〜１７の一枚であり、第３のバリア羽根１４のリブにより、開閉の回動運動を行うことができる。なお、第１のバリア羽根１６は、突起部１１ａを軸に開閉の回転運動を行う。また、第１のバリア羽根１６は、矢印Ｄに示すようにバリアケースユニット３１ａに装着される。
【００７１】
孔部１６ａは、第１のバリア羽根１６に設けられており、第１のバリアケース１１のピン形状の突起部１１ａが挿通されている。
【００７２】
外周部１６ｂは、第１のバリア羽根１６の外周の一部である。外周部１６ｂに第３のバリア羽根１４のリブ１４ｆが当たり、第１のバリア羽根１６に反時計回りの方向の回転力（羽が閉じる力）を伝えている。
【００７３】
リブ１６ｃは、第１のバリア羽根１６の裏面（第３のバリア羽根１４に対向した面）に設けられており、第３のバリア羽根１４の外周部１４ｃがリブ１６ｃに当たることによって、第１のバリア羽根１６に時計回りの方向の回転力（羽が開く力）を伝えている。
【００７４】
図８に示すように、第２のバリア羽根１７は、四枚のバリア羽根１４〜１７のうちの一枚であり、第４のバリア羽根１５のリブにより、開閉の回動運動を行うことができる。なお、第２のバリア羽根１７は、突起部１１ｂを軸として開閉の回動運動を行う。また、第２のバリア羽根１７は、矢印Ｄに示すようにバリアケースユニット３１ａに装着される。
【００７５】
孔部１７ａは、第２のバリア羽根１７に設けられ、第１のバリアケースのピン形状の突起部１１ｂが挿通される。
【００７６】
外周部１７ｂは、第２のバリア羽根１７の外周の一部であり、外周部１７ｂに第４のバリア羽根１５のリブ１５ｆが当たり、第２のバリア羽根１７に反時計回りの方向の回転力（羽が閉じる力）を伝えている。
【００７７】
リブ１７ｃは、第２のバリア羽根１７の裏面（第４のバリア羽根１５に対向した面）に設けられ、第４のバリア羽根１５の外周部１５ｃがリブ１７ｃに当たることによって、第４のバリア羽根１５から第２のバリア羽根１７に時計回りの方向の回転力（羽が開く力）を伝えている。
【００７８】
図９に示すように、第２のバリアケース１８は、レンズバリアユニット３２（後述）の外郭筺体の一部である。また、第２のバリアケース１８は、第１のバリアケース１１と仮止めにより固定され、バリアケースユニット３１ａを構成している。
【００７９】
開口部１８ａ（溝部）は、第２のバリアケース１８に２カ所設けられている。また、開口部１８ａには、バリアスイッチリング９の突起部９ａ及び９ｂが内蔵されている。また、バリアスイッチリング９の回転動作に伴い、突起部９ａ及び９ｂが開口部１８ａの開口範囲内において移動可能なように構成されている。
【００８０】
開口部１８ｂは、第２のバリアケース１８において、入射光が通る部分である。開口部１８ｂの大きさは、レンズに入射する光がケラレないように設定されている。また、開口部１８ｂの大きさは、開口部１８ｂの近傍にバリア羽根１４〜１７を収納可能な大きさに設定されている。すなわち、開口部１８ｂが小さすぎると入射する光がケラレてしまい、逆に開口部１８ｂが大きすぎると、開口部１８ｂ周辺にバリア羽根１４〜１７を収納するスペースが無くなってしまう。よって、開口部１８ｂの大きさを最適化する必要がある。
【００８１】
突起部１８ｃは、第２のバリアケース１８の裏面側に設けられ、前枠２８の係合孔２８ｃ（後述）と係合される。レンズバリアユニット３２をビデオカメラ本体８に装着する際、突起部１８ｃが前枠２８の係合孔２８ｃに挿入されて係合することで、バリアケースユニット３２を位置決めさせることができる。
【００８２】
突起部１８ｄおよび１８ｅは、第２のバリアケース１８の外周に設けられ、矢印Ｅに示すように第１のバリアケース１１の突起部１１ｉ及び１１ｊと嵌合されて、第１のバリアケース１１と第２のバリアケース１８とを仮止めしている。
【００８３】
引っ掛け形状部１８ｆは、第２のバリアケース１８の４カ所に設けられている。また、引っ掛け形状部１８ｆの先端をフードマスク２０の穴部に引っかけることによって、バリアケースユニット３１とフードマスク２０とを一体化できる。
【００８４】
図１０に示すように、フードネジ１９は、フードマスク２０の係合壁２０ｄの外周面に回転自在に嵌合され、またフード飾り部材２１と嵌合されているため、フード飾り部材２１と一体にフードマスク２０上を回転する。また、フードネジ１９の周囲には、着脱部材として機能するために、雄ネジのネジ部１９ｃが形成されており、フード飾り部材２１を回転させることで、バリアケースユニット３１を回転させずに、レンズバリアユニット３２をビデオカメラ本体８にねじ込むことができる。
【００８５】
フード飾り嵌合部１９ａは、フードネジ１９に設けられかつ凹形状より構成され、矢印Ｆに示すようにフード飾り部材２１のリブ２１ａに嵌合固定される。本実施の形態では、フード飾り嵌合部１９ａとリブ２１ａとはそれぞれ４カ所に設けた。
【００８６】
内周面１９ｂは、フードネジ１９のネジ部１９ｃの裏側の部位に相当する。内周面１９ｂには、フードマスク２０に設けられた４カ所のリブ２０ａが摺動される。
【００８７】
ネジ部１９ｃは、フードネジ１９の円筒部分の外周面に形成され、雄ネジで構成されている。また、ネジ部１９ｃは、ビデオカメラ本体８の前枠２８に設けられた雌ネジ２８ｄと螺合させることにより、レンズバリアユニット３２をビデオカメラ本体８に装着固定させることができる。
【００８８】
図１０に示すように、フードマスク２０（マスク部材）は、開口部２０ｃの形状及びリブを設けたことによって散乱光をカットし、映像信号におけるフレアを防ぐ。また、フードマスク２０内部のスペースを有効利用し、バリアケースユニットを収納する。また、フードマスク２０の外周には、フードネジ１９が回転自在に配されている。
【００８９】
リブ２０ａは、フードマスク２０の係合壁２０ｄの外周面上に突出して設けられ、４カ所のリブ２０ａがフードネジ１９の内周面１９ｂと摺動する。
【００９０】
孔部２０ｂは、フードマスク２０の係合壁２０ｄ上に設けられている。４カ所の孔部２０ｂに、第２のバリアケース１８の４カ所に設けられた引っ掛け形状部１８ｆ（図９参照）を、矢印Ｇに示すように移動させて係合させることによって、バリアケースユニット３１とフードマスク２０とを一体化させている。
【００９１】
開口部２０ｃ（第２の開口部）は、フードマスク２０に設けられ、大きさはレンズに入射する光がケラレないこと、かつ散乱光が入射しないように設定されている。本実施の形態では、略小判形状としたが、楕円形状や長方形などこれに限るものではない。
【００９２】
係合壁２０ｄは、フードマスク２０に立設され、かつ一部が切り欠かれた略円筒形状の部材で構成されている。また、係合壁２０ｄの外周側面には、フードネジ１９が摺動かつ回転自在に係合されている。
【００９３】
図１０に示すように、フード飾り部材２１は、レンズバリアユニット３２の外郭筺体の一部に被覆部材として配されており、フードネジ１９と嵌合されて一体化される。本実施の形態では、フード飾り部材２１がレンズバリアユニット３２の円周方向最外部に位置し、使用者がレンズバリアユニット３２をビデオカメラ本体８に螺合装着する際に回転させる部分である。なお、フード飾り部材２１において、ビデオカメラ本体８への装着時に使用者が指にて把持する部位には、フード飾り部材２１を回転させやすいように円周方向に凹凸を設けてもよい。
【００９４】
リブ２１ａは、フード飾り部材２１の内周４カ所に設けられ、フードネジ１９の嵌合部１９ａに引っかかることでフードネジ１９とフード飾り部材２１とが嵌合固定される。
【００９５】
図１１に示すように、バリア駆動リング２２は、バリア駆動伝達部材としてバリア駆動リング飾り部材２３内に係合されている。よって、バリア駆動リング飾り部材２３を回転させることでバリア駆動リング２２が回転される。バリア駆動リング２２が回転されることで、レンズバリアユニット３２のバリアスイッチリング９が連動して回転され、バリア羽根１４〜１７を開閉させることができる。また、バリア羽根１４〜１７の開閉の位置が定まるように、クリック機構を備えている。
【００９６】
突起部２２ａは、バリア駆動リング２２の内周に設けられ、形状は三角状に窪んだ形状となっている。突起部２２ａの窪んだ部分に、バリアリング板バネ２４（図１２を参照して後述）の三角形状部の頂点が落ち込むことによって、バリア駆動リング２２にクリック感を発生させている。
【００９７】
突起部２２ｂは、バリア駆動リング２２の外周４カ所に設けられ、矢印Ｈに示すように移動されてバリア駆動リング飾り部材２３の４カ所のリブ２３ａと嵌合されている。これにより、バリア駆動リング飾り部材２３をバリア駆動リング２２に固定させている。
【００９８】
突起部２２ｃおよび２２ｄは、はさみ形状をし、バリア駆動リング２２の内周に設けられている。また、突起部２２ｃおよび２２ｄは、それぞれバリアスイッチリング９の突起部９ａ及び９ｂと係合する凹部を備え、バリア駆動リング２２の回転力をバリアスイッチリング９に伝えている。
【００９９】
内周面２２ｅは、バリア駆動リング２２の内周面であり、前枠２８の外周に設けられた４カ所のリブと摺動する。
【０１００】
図１１に示すように、バリア駆動リング飾り部材２３は、フロント部ユニット３３の外郭筐体の一部であり、バリア駆動リング２２と嵌合されて一体化される。また、回動部材としてのバリア駆動リング飾り部材２３は、光軸を中心に回転可能に配されている。レンズバリアユニット３２をビデオカメラ本体８に装着した状態で、ユーザーが指などでバリア駆動リング飾り部材２３を所定角度回転させることで、バリア羽根１４〜１７を開閉させることができる。
【０１０１】
リブ２３ａは、バリア駆動リング飾り部材２３の内周４カ所に設けられ、バリア駆動リング２２の外周４カ所に設けられたリブ２２ｂと嵌合され、バリア駆動リング飾り部材２３をバリア駆動リング２２に固定させている。
【０１０２】
図１２に示すように、バリアリング板バネ２４は、弾性力のある薄いバネで構成され、矢印Ｋに示すように両端がフロントケース２６の溝部２６ａに固定されている。また、バリアリング板バネ２４には、矢印Ｊに示すようにバリア駆動リング２２の突起部２２ａが当接されて配されている。また、バリア駆動リング２２の突起部２２ａにおける窪んだ部分に、バリアリング板バネ２４の三角形状部の頂点が落ち込むことによって、バリア駆動リング２２にクリック感を発生させ、バリア駆動リング２２が「開」または「閉」のうちいずれか一方の位置に停止するように規制している。
【０１０３】
図１２に示すように、レンズ飾り部材２５は、フロント部ユニット３３の外郭筐体の一部であり、矢印Ｌに示すようにフロントケース２６と一体化された後、矢印Ｉに示すようにフロントケース２６および前枠２８に挟まれて固定されている。また、レンズ飾り部材２５は、鏡筒手段の一例である。
【０１０４】
図１２に示すように、フロントケース２６は、フロント部ユニット３３の外郭筐体の一部である。フロントケース２６において、レンズの光軸と略同軸位置に、レンズ飾り部材２５やバリア駆動リング２２及びバリア駆動リング飾り部材２３が、装着固定されている。
【０１０５】
図１３に示すように、レンズダンパーゴム２７は、前枠２８に固定されているとともに、内周部でレンズユニットのレンズ玉に印可される外的な衝撃を緩和させている。
【０１０６】
図１３に示すように、前枠２８は、フロント部ユニット３３の外郭筐体の一部である。前枠２８は、フロントケース２６の前面に取り付けられ、外周においてバリア駆動リング２２が回転される。また、前枠２８の中心部にはレンズダンパーゴム２７が取り付けられ、前枠２８とフロントケース２６とでレンズダンパーゴム２７を挟み込んで固定されている。
【０１０７】
リブ２８ｂは、前枠２８の裏面２カ所に設けられたリブであり、回転時、バリア駆動リング２２の内周に設けられたはさみ形状をした突起部２２ｃ及び２２ｄの側面と当接することによって、バリア駆動リング２２の回転量を規制している。
【０１０８】
係合孔２８ｃは、前枠２８の裏面に設けられ、周囲に囲いリブが形成されている。また、係合孔２８ｃは、レンズバリアユニット３２の取り付け時、第２のバリアケース１８の突起部が挿入され、バリアケースユニット３１が回転しないように固定している。
【０１０９】
雌ネジ部２８ｄは、レンズバリアユニット３２をビデオカメラ本体８に装着する際に、フードネジ１９の雄ネジ部１９ｃと螺合される。
【０１１０】
孔部２８ｅは、前枠２８の表裏を貫通するように２カ所に設けられ、バリア駆動リング２２のはさみ形状部２２ｃ及び２２ｄと、バリアスイッチリング９の突起部９ａ及び９ｂとが係合される。
【０１１１】
図１３に示すように、ビス３０は、例えばＭ１６のビスで構成され、矢印Ｍに示すように前枠２８をフロントケース２６に固定させている。
【０１１２】
図８及び図９に示すように、バリアケースユニット３１は、内部にバリア羽根１４〜１７、バリアカムリング１０、バリアスイッチリング９、第１及び第２のバリアリングバネ１２及び１３が収納されている。なお、バリアケースユニット３１ａは、バリアスイッチリング９とバリアカムリング１０と第１のバリアケース１１とを組み立てた状態（第１の組立状態）のバリアケースユニット３１を示している。また、バリアケースユニット３１ｂは、バリアケースユニット３１ａに第１〜第４のバリア羽根１４〜１７を組み付けた状態（第２の組立状態）のバリアケースユニット３１を示している。バリアケースユニット３１ｂに第２のバリアケース１８を組み付けた状態が、完成状態のバリアケースユニット３１である。また、バリアケースユニット３１には、バリア羽根１４〜１７が開放状態の時に、バリア羽根１４〜１７を収納可能な収納部を備えている。
【０１１３】
図１０に示すように、レンズバリアユニット３２は、バリアケースユニット３１をフードマスク２０と嵌合させて合体させ、フードネジ１９、フード飾り部材２１を取り付けて構成されている。また、レンズバリアユニット３２は、単品でフロント部から着脱可能である。
【０１１４】
図１３に示すように、フロント部ユニット３３は、バリア駆動リング２２を備え、レンズバリアユニット３２を前枠２８に取り付けることにより、バリア羽根１４〜１７を開閉させることができる。
【０１１５】
以上のように構成された本実施の形態について、以下その動作について説明する。
【０１１６】
まず、ビデオカメラ本体８に対する着脱動作について説明する。図１５はレンズバリアユニットの正面図である。図１６はビデオカメラ本体にレンズバリアユニットを取り付けたときの断面図であり、図１５のイ−イ部の断面である。図１７はビデオカメラ本体に従来のレンズフードを取り付け、さらに従来のレンズキャップを取り付けたときの断面図である。図１８はビデオカメラ本体からレンズバリアユニットを取り外したときの断面図である。
【０１１７】
図１４及び図１８において、レンズバリアユニット３２を、ビデオカメラ本体８の前部（撮影時に被写体側を向く面）筐体の一部を成す前枠２８に対して、図中矢印Ｎ方向に示すように移動させ、レンズバリアユニット３２の光軸と前枠２８の光軸とが略一致するように装着させる。この時、レンズバリアユニット３２の裏面側に突出して設けられた突起部１８ｃを、矢印Ｐに示すように前枠２８に設けられた係合孔２８ｃに挿入係合させる。これにより、レンズバリアユニット３２の回転方向の位置決めが可能となる。
【０１１８】
この位置決めにより、レンズバリアユニット３２から突出して設けられた２カ所の突起部９ａ及び９ｂが、矢印Ｑに示すように前枠２８の孔部２８ｅに係合される。次に、レンズバリアユニット３２におけるフード飾り部材２１を、矢印Ｒ方向に回転させることで、レンズバリアユニット３２の裏面側に設けられたネジ部１９ｃと、前枠２８の雄ネジ部２８ｄとを螺合させることができる。
【０１１９】
なお、レンズバリアユニット３２のフードネジ１９は、フード飾り部材２１の回転動作に伴って回転されるが、バリアケースユニット３１とフードマスク２０はフード飾り部材２１の回転動作に伴う回転はしないように構成されている。つまり、レンズフードの役割を持っているフードマスク２０は、略小判形状の開口部２０ｃを有しており、レンズバリアユニット３２の光軸近傍に設けられた開口部も略小判形状に形成されている。よって、レンズバリアユニット３２を前枠２８に対して螺合装着する際に、略小判形状の開口の回転方向の位置が正規の位置でないと、レンズフードとしての本来の役割を果たさないことになる。本実施の形態は、レンズバリアユニット３２を回転螺合によって係合させているとともに、フードマスク２０の回転方向の位置を保持できるように構成している。
【０１２０】
レンズバリアユニット３２の装着後の状態を、図１５及び図１６に示す。
【０１２１】
図１５に示すように、レンズバリアユニット３２の前側から見ると、レンズ玉２９はレンズバリアユニット３２のフードマスク２０によって上下が遮光され、光量が制限されている。また、図１６に示すように側面から見ると、図１７に示す従来構成よりも、光軸方向の厚さを薄く構成することができる。これは、図１７に示す従来構成においては、前枠２８の前部にレンズフード４を装着し、レンズフード４の前部にレンズキャップ５を装着する構成としたためであり、必然的にレンズキャップ５とレンズフード４の厚さは必要となる。これに対し本実施の形態では、従来のレンズキャップ５と同等の厚さ寸法のレンズバリアユニット３２単体で、レンズキャップとレンズフードの両方の構成を備えているため、厚さ方向の寸法を小さくすることができる。
【０１２２】
なお、本実施の形態ならびに従来構成における各ユニットをわかりやすくするために、図１８に本実施の形態の構成において各ユニットを分離させた状態を示し、図１９に従来構成において各ユニットを分離させた状態を示す。図１８及び図１９において、各ユニットはそれぞれ矢印Ｎ、Ｔ、Ｕに示すように移動されて、互いに装着される。
【０１２３】
次に、レンズバリアユニット３２をビデオカメラ本体８から離脱する時は、図１５及び図１６に示す状態から、レンズバリアユニット３２におけるフード飾り部材２１を矢印Ｓ方向へ回転させることで、レンズバリアユニット３２の裏面側に設けられたネジ部１９ｃと、前枠２８の雄ネジ部２８ｄとの螺合を弛めることができる。螺合状態が完全に解除されれば、レンズバリアユニット３２を矢印Ｎの反対方向へ移動させることで、レンズバリアユニット３２の裏面側に突出して設けられた突起部１８ｃと前枠２８に設けられた係合孔２８ｃとの係合状態、および、レンズバリアユニット３２に突出して設けられた２カ所の突起部９ａ及び９ｂと前枠２８の孔部２８ｅとの係合状態をそれぞれ解除させることができ、レンズバリアユニット３２を前枠２８から離脱することができる。
【０１２４】
次に、レンズバリアの開閉動作について説明する。
【０１２５】
図１に示すように、レンズバリアユニット３２をビデオカメラ本体８に装着した状態で、バリア駆動リング飾り部材２３を所定回転角度、回転させることができる。
【０１２６】
また、図２（ｂ）及び図３（ｂ）に示すように、バリア駆動リング飾り部材２３の近傍には、レンズバリアの開閉状態を目視にて容易に確認できる構成が設けられている。図２（ｂ）及び図３（ｂ）に示すように、バリア駆動リング飾り部材２３に設けられたカーソル９０と、レンズバリアが閉じた状態を使用者へ目視的に報知するための閉じマーク９１と、レンズバリアが開いた状態を使用者へ目視的に報知するための開きマーク９２とを備えている。なお、閉じマーク９１は、図形にて表示したが、これに限定されるものではない。また、開きマーク９２は、「ＯＰＥＮ」なる英語表記としたが、これに限定されるものではない。
【０１２７】
図２及び図３において、バリア駆動リング飾り部材２３を円周方向へ回転させることで、閉じマーク９１あるいは開きマーク９２に対するカーソル９０の相対位置が変わる。つまり、図３（ｂ）に示すように、カーソル９０を閉じマーク９１に合わせるようにバリア駆動リング飾り部材２３を回転させることで、図３（ａ）に示すようにレンズバリアを閉じることができる。
【０１２８】
また、図２（ｂ）に示すように、カーソル９０を開きマーク９２に合わせるようにバリア駆動リング飾り部材２３を回転させることで、図２（ａ）に示すようにレンズバリアを開くことができる。図２（ａ）はレンズバリアが開いた状態を示しており、レンズ玉２９がビデオカメラ本体８の正面から目視可能になっている。なお、バリア羽根１４〜１７開閉時の内部機能の動作については後述する。
【０１２９】
次に、レンズバリアユニットをビデオカメラ本体８に取り付ける際の安全機構について説明する。
【０１３０】
図２０〜図２３はレンズバリアユニット装着時の内部動作について示しており、図２０〜図２２の（ａ）はレンズバリアユニット３２と前枠２８の内部機構の動作をわかりやすく表現するためにユニットを分解して示した斜視図で、図示では各ユニットを分離して描画しているが、実際には各部が係合あるいは離脱している。（ｂ）は前枠２８近傍に設けられたマークを示す斜視図である。図２０と図２１はバリアケースユニット３２のバリア羽根の開閉状態と、前枠２８側のバリア駆動リングの開閉状態とが一致しているため、前述の着脱動作に基づき着脱が可能である。また、図２３において、（ａ）はレンズバリアユニット３２をビデオカメラ本体８へ装着させる前の状態、（ｂ）ははさみ形状部２２ｃの突起部とバリアスイッチリング９の突起部９ａとが当接した状態、（ｃ）は突起部９ａが摺動しはさみ形状部２２ｃに係合された状態を示している。
【０１３１】
図２２に示すように、バリア駆動リング２２の回転方向位相が「閉」の位置、すなわちカーソル９０が閉じマーク９１の位置にあって（バリアスイッチリング９と逆位相）、バリア羽根１４〜１７が開いた状態のレンズバリアユニット３２をビデオカメラ本体８に装着させる際、図２３（ａ）に示す未装着状態からバリアスイッチリング９等が搭載されたレンズバリアユニット３２（図示せず）を矢印ｄ方向へ移動させると、図２３（ｂ）に示す状態へ至る。
【０１３２】
図２３（ｂ）に示す状態では、バリアスイッチリング９の突起部９ａの斜面９ａ’が、バリア駆動リング２２のはさみ形状部２２ｃの突起部に当接される。さらにレンズバリアユニットを矢印ｄ方向へ移動させると、斜面９ａ’とはさみ形状部２２ｃの突起部とが摺動し、突起部９ａははさみ形状部２２ｃに案内されて矢印ｅ方向へ移動される。突起部９ａが矢印ｅ方向へ移動させることにより、バリアスイッチリング９が円周方向へ回転される。バリアスイッチリング９が円周方向へ回転されるのに伴って、バリア羽根１４〜１７が閉じられていく。
【０１３３】
図２３（ｂ）に示す状態からレンズバリアユニットをさらに矢印ｄ方向へ移動させ、図２３（ｃ）に示す状態へ到達させると、バリア羽根１４〜１７が完全に閉じられるとともに、レンズバリアユニット３２がビデオカメラ本体８に取り付けられた状態になる。
【０１３４】
なお、レンズバリアユニット３２は、第１のバリアリングバネ１２によって、常にバリア羽根１４〜１７が開く方向にバリアスイッチリング９に回転力が加わっており、ビデオカメラ本体８へ装着されていない状態では、バリア羽根１４〜１７は常時開いている。すなわち、上記と逆の関係位置（バリアスイッチリング９が閉じる位置にあり、バリア駆動リング２２が開く位置にある）ということはなく、バリアスイッチリング９の突起部９ａが突っ張って、ビデオカメラ本体８にレンズバリアユニット３２が取り付かないということは起こらない設計になっている。
【０１３５】
次に、バリア羽根１４〜１７の開閉動作について説明する。
【０１３６】
図２４及び図２５はレンズバリアが閉まっている状態から開く状態までの各部品の動きを示すものである。図２４は表面側から見た平面図、図２５は裏面側から見た平面図である。図中、一点鎖線がフードマスク２０の開口部を示している。図２６及び図２７はレンズバリアが開いている状態から閉じる状態までの各部品の動きを示す状態図である。なお、以下の説明では、レンズバリアユニット構成部品のうち、バリアカムリング１０、バリアスイッチリング９、バリア羽根１４〜１７のみをピックアップして動作を説明する（形状は一部簡略表記）。
【０１３７】
まず、図２４（ａ）及び図２５（ａ）はバリア羽根１４〜１７が完全に閉じた状態である。このとき、第１のバリアリングバネ１２は最大に伸びた状態であり、バリアスイッチリング９は完全に閉の位置まで回転している（バリア駆動リング１０のカーソル９０がレンズ飾り部材２５の印刷の閉じマーク９１の位置にある）。
【０１３８】
また、第２のバリアリングバネ１３は、他の図に示す状態よりも若干伸びた状態にある。これは、バリア羽根１４〜１７は完全に閉まり、バリア羽根１４〜１７と直接連結されているバリアカムリング１０が回転規制位置にあるのに対して、バリアスイッチリング９はさらに回転可能に構成するためである。これによって、バリア羽根１４〜１７の回転量に余裕を持たせることができ、バリア羽根１４〜１７を完全に閉じることができる。また、第１及び第２のバリア羽根１６及び１７は、第３及び第４のバリア羽根１４及び１５の突起部１４ｆおよび１５ｆに当接されていることにより、常時閉じる方向に規制されている。第３及び第４のバリア羽根１４及び１５は、バリアカムリング１０により位置が規制されている。
【０１３９】
次に、図２４（ａ）及び図２５（ａ）に示す状態から、バリア駆動リング飾り部材２３（図１参照）を少し回転させると、バリアスイッチリング９のみがバリア羽根１４〜１７を開く方向に回転され、図２４（ｂ）及び図２５（ｂ）に示す状態になる。図２４（ｂ）及び図２５（ｂ）に示す状態では、第１のバリアリングバネ１２は、バリアスイッチリング９の回転量に相当する分、伸びは小さくなっている。また、バリアスイッチリング９の裏面に配された突起部９ｃは、バリアカムリング１０に当たる直前の位置関係にある。バリアスイッチリング９が開く方向に回転されるため、第２のバリアリングバネ１３の伸びはバリアスイッチリング９の回転量に相当する分、少なくなっている。ただし、突起部９ｃがバリアカムリング１０の回転を規制しているため、第２のバリアリングバネ１３には若干の負荷がかかり、自然長よりも伸びた状態になっている。また、バリアカムリング１０は、図示の時点では全く動いていないので、バリア羽根１４〜１７の位置に変化はない。
【０１４０】
次に、図２４（ｂ）及び図２５（ｂ）に示す状態から、バリア駆動リング飾り部材２３（図１参照）を少し回転させると、図２４（ｃ）及び図２５（ｃ）に示す状態に至る。図２４（ｃ）及び図２５（ｃ）に示す状態では、第１のバリアリングバネ１２は図２４（ｂ）及び図２５（ｂ）に示す状態から、さらにこの回転量に相当する分、伸びは小さくなっている。また、バリアカムリング１０は、バリアスイッチリング９の裏面の突起部９ｃがバリアカムリング１０の穴部端面に当たり、強制的に所定位置まで回転される。よって、バリアカムリング１０に直接連結された第３及び第４のバリア羽根１４及び１５も、所定位置まで回動される。
【０１４１】
また、第１のバリア羽根１６と第２のバリア羽根１７とは、互いの位置関係が異なる。すなわち、第１のバリア羽根１６は自重により、常に閉まる方向に回転しようとしており、第３のバリア羽根１４と第１のバリア羽根１６とは図２４（ｃ）に示すように重なった状態になっている。さらに、第１のバリア羽根１６は、図２５（ｃ）に示すように、裏面に設けられたリブ１６ｃと第３のバリア羽根１４とが当接されていることにより、第３のバリア羽根１４によって持ち上げられようとしている。
【０１４２】
一方、第２のバリア羽根１７は、自重により常に開く方向に回転しようとしているとともに、第２のバリア羽根１７と突起部１５ｆとが当接されることによって、第２のバリア羽根１７は開く方向への回転が規制されている。したがって、第４のバリア羽根１５が開くのと同時に、第２のバリア羽根１７も開く構成になっている。
【０１４３】
第１及び第２のバリア羽根１６及び１７は、第３及び第４のバリア羽根１４及び１５の動きに対して、完全に同期しているのではなく、自由な回転範囲が存在しており、自重によりその挙動が決まる。
【０１４４】
次に、図２４（ｃ）及び図２５（ｃ）に示す状態からバリア駆動リング飾り部材２３（図１参照）をさらに回転させると、図２４（ｄ）及び図２５（ｄ）に示す状態に至る。図２４（ｄ）及び図２５（ｄ）に示すように、レンズバリアを全開状態へ移行させると、第１のバリアリングバネ１２の伸びは最小になり、バリアスイッチリング９は完全に開の位置まで回転される（バリア駆動リング２２のカーソル９０がレンズ飾り部材２５の印刷の開きマーク９２の位置にある）。また、第１及び第２のバリアバネ１６及び１７は、第３及び第４のバリアバネ１４及び１５の突起部１６ｃおよび１７ｃによって、開く方向に規制されている。第３及び第４のバリアバネ１４及び１５は、バリアカムリング１０により位置が規制されている。
【０１４５】
なお、バリア羽根１４〜１７が閉じる動作については、図２６及び図２７に示しているが、前述の開く動作の逆動作となるため、具体動作説明は省略する。
【０１４６】
以上のように本実施の形態によれば、レンズフードとレンズ部のデットスペースに、四枚のバリア羽根１４〜１７によるレンズバリアを配置させているため、従来のレンズキャップの大きさを変えずに、レンズ保護とレンズフードの両方の機能を持たせることができる。
【０１４７】
また、レンズフードにレンズバリアを内蔵させ、レンズフードをビデオカメラ本体に螺合により着脱可能に構成したことにより、レンズバリアおよびレンズフードが、衝撃によりビデオカメラ本体から外れる可能性は低い。
【０１４８】
さらに、ビデオカメラ本体８の撮影時、レンズバリアを構成しているバリア羽根１４〜１７はレンズフード内に収納されるため、レンズバリアが撮影の妨げになることはなく、快適に撮影を行うことができる。
【０１４９】
また、ビデオカメラ本体８に設けられたバリア駆動リング２２によりレンズバリアを開閉させているため、レンズバリア使用時から撮影までの手間が大幅に削減できる。すなわち、従来ではビデオカメラ本体の使用時、レンズキャップを前枠から外し、レンズキャップを保持突起に係合させてから撮影スタンバイが完了するのに対して、本実施の形態ではバリア駆動リング２２を回転させるのみで、撮影スタンバイが完了する。
【０１５０】
さらに、レンズバリアユニット３２をビデオカメラ本体８から離脱させた状態では、バリア羽根１４〜１７が常時開く（収納状態）ように構成されていることにより、レンズフードを装着しないで撮影する際、バリア羽根１４〜１７に埃などが付着するのを防ぐことができる。
【０１５１】
すなわち、レンズバリアユニット３２をビデオカメラ本体８から離脱させて使用する時（レンズフードの機能を使わない時）、バリア羽根１４〜１７が閉じている状態では、バリア羽根１４〜１７の表面（特に、レンズに対向する面）に埃などが付着する可能性がある。埃などが付着した状態でレンズバリアユニット３２をビデオカメラ本体８に再装着すると、レンズに埃などが付着してしまう可能性がある。本実施の形態では、ビデオカメラ本体８からレンズバリアユニット３２を離脱している時は、常時、バリア羽根１４〜１７を収納されるよう構成することにより、バリア羽根１４〜１７に埃などが付着するのを防止している。
【０１５２】
（実施の形態２）
図２８は、実施の形態１における撮像装置の構成を示す斜視図である。図２９は、実施の形態２における撮像装置の正面部分の部品構成を示す分解斜視図である。なお、図２８に示す実施の形態２の構成において、実施の形態１における構成要素と同一番号が付与されている構成要素については、同様の機能及び動作を行うものとし、詳細説明は割愛する。
【０１５３】
図２８において、実施の形態２の構成と異なるのは、図１におけるバリア駆動リング飾り部材２３と、図２（ｂ）に示す閉じマーク９１及び開きマーク９２とを無くした点である。
【０１５４】
また、図２９において、フロントケース２６には、モータ４１及び二段ギヤ４３（後述）が配される切り欠き部２６ｂが形成されている。
【０１５５】
リング４０は、レンズ飾り部材２５と前枠２８との間に、回動自在に配されている。また、リング４０には係合部４０ａが形成されており、孔部２８ａに挿通された突起部９ａが係合される。なお、突起部９ａは、図５に示すようにバリアスイッチリング９に一体に設けられ、図４に示すようにレンズバリアユニット３２の裏面側に突出している。また、リング４０には歯部４０ｃが形成され、二段ギヤ４３（後述）の一方の歯部に噛み合っている。
【０１５６】
駆動手段であるモータ４１は、フロントケース２６に形成されている切り欠き部２６ｂ内に配されて、フロントケース２６に固定されている。モータ４１の出力軸にはウォーム歯車４２が配され、モータ４１の駆動とともに回転される。図示しないが、ビデオカメラ本体に装備された操作手段である電源スイッチによって電源が投入された時に、モータ４１が通電される。なお、モータ４１は、電源スイッチの操作に応じて通電される構成に限るものではない。
【０１５７】
二段ギヤ４３は、ギヤ比が異なる２つの歯車を同軸かつ一体的に配されている。二段ギヤ４３における一方の歯車はウォーム歯車４２に噛み合っており、もう一つの歯車は歯部４０ｃに噛み合っている。なお、二段ギヤ４３は、フロントケース２６に回転自在に配されている。
【０１５８】
なお、説明をわかりやすくするために、図２９において、モータ４１、ウォーム歯車４２、二段ギヤ４３をリング４０の近傍に描画している。図２９において、モータ４１、ウォーム歯車４２、二段ギヤ４３と、リング４０との相対位置関係は、各ユニットを組み立てた後の状態である。
【０１５９】
以下、実施の形態２の撮像装置の動作を説明する。
【０１６０】
図２９に示すように、フロントケース２６と、レンズ飾り部材２５と、リング４０と、レンズダンパーゴム２７が配されている前枠２８とを、それぞれ互いに装着させて一体化する。なお、リング４０は、レンズ飾り部材２５と前枠２８との間において、円周方向に回転自在に配されている。また、モータ４１及び二段ギヤ４３は、フロントケース２６に固定される。一体化されたユニットは、図２８に示すようにビデオカメラ本体２８に固定される。
【０１６１】
図２８において、レンズ飾り部材２５の前面に固定されている前枠２８（図２９参照）に形成されている雌ネジに、レンズバリアユニット３２に形成されている雄ネジを螺合
させることで、レンズバリアユニット３２をビデオカメラ本体８に装着することができる。
【０１６２】
なお、レンズバリアユニット３２がビデオカメラ本体８に装着された時、通常は図２８に示すように、各バリア羽根１４〜１７は閉じた状態となっている。
【０１６３】
次に、各レンズ羽根１４〜１７を開く場合は、モータ４１に駆動電流を印加させることによって、モータ４１が駆動状態となり、モータ４１の出力軸に固定されているウォーム歯車４２が回転される。ウォーム歯車４２が回転されることによって、ウォーム歯車４２に噛み合っている二段ギヤ４３が回転される。二段ギヤ４３が回転されると、二段ギヤ４３のもう一方の歯車に噛み合っている歯部４０ｃに駆動力が伝達され、リング４０が円周方向へ回転される。
【０１６４】
リング４０が円周方向へ回転されると、リング４０の係合部４０ａ及び４０ｂに係合されているレンズバリアユニット３２の突起部９ａ及び９ｂ（例えば図５参照）が、リング４０の回転運動に伴って円周方向へ移動される。突起部９ａ及び９ｂが移動されると、レンズバリアユニット３２内に配されている各バリア羽根１４〜１７が、それぞれ回動されて開かれる。各バリア羽根１４〜１７が全開位置まで回動されると、モータ４１の駆動が停止される。
【０１６５】
また、各バリア羽根１４〜１７を閉じる場合は、ウォーム歯車４２を逆回転させるようにモータ４１を駆動させる。なお、「逆回転」とは、バリア羽根１４〜１７を開く時のギヤやリングなどの回転方向に対する、逆方向の回転を示している。ウォーム歯車４２が逆回転されると、二段ギヤ４３も逆回転されて、二段ギヤ４３に噛み合っているリング４０も逆回転される。リング４０が逆回転されると、係合部４０ａ及び４０ｂに係合されているレンズバリアユニット３２の突起部９ａ及び９ｂが、バリア羽根１４〜１７を開く時に対して逆方向へ移動される。突起部９ａ及び９ｂが移動されると、レンズバリアユニット３２内に配されている各バリア羽根１４〜１７が、それぞれ回動されて閉じられる。各バリア羽根１４〜１７が全閉位置まで回動されると、モータ４１の駆動が停止される。
【０１６６】
なお、突起部９ａ及び９ｂの移動に伴う、各バリア羽根１４〜１７の開閉動作については、実施の形態１において説明済みであるため省略する。
【０１６７】
以上のように本実施の形態によれば、レンズバリアユニット３２における各バリア羽根１４〜１７の開閉をモータなどで動作させることにより、ユーザにおいて手動でレンズバリアを開く操作を省くことができ、操作性を向上させることができる。
【０１６８】
また、レンズバリアユニット３２をビデオカメラ本体８に対して着脱可能な構成とし、かつモータ４１や二段ギヤ４３などの電動開閉機構をビデオカメラ本体８側に配しているため、仮にレンズバリアが閉じた状態で電動開閉機構が壊れてしまったとしても、レンズバリアユニット３２をビデオカメラ本体８から取り外せば、レンズを露出させることができ、通常通りに撮影を行うことができる。
【０１６９】
なお、リング４０を回転駆動させる構成は、実施の形態２に示すようなモータ４１に限るものではなく、周知の駆動機構によって実現が可能である。
【０１７０】
以下、リングの回転機構の他例について説明する。
【０１７１】
図３０はビデオカメラ本体に内蔵される回動機構の構成を示す斜視図である。図３１は回動機構の分解斜視図である。図３０及び図３１は、説明をわかりやすくするために、説明に不要な部品については描画を省略した。
【０１７２】
図３０において、フレーム５０は、ビデオカメラ本体においてテープ駆動メカニズムや各種回路基板などを保持しているものである。フレーム５０の側面にはピン５５が立設され、ピン５５にはリンクレバー５４が回動自在に支持されている。リンクレバー５４の一方の端部（ビデオカメラ本体の前側）は、リングユニット５１におけるリング５６の外周面に支持されている。また、リンクレバー５４の他方の端部（ビデオカメラ本体の後側）には、ピン５４ａが立設されている。フレーム５０の後面５０ａには、リヤケース５２が固定される。リヤケース５２は、ビデオカメラ本体の後側（撮影者側）の外郭筐体の一部である。また、リヤケース５２には、開口部５２ａが形成されている。開口部５２ａの近傍には、指示手段であるスイッチ５３が、開口部５２ａに案内されて矢印ｆ及びその逆方向へスライド可能に配されている。スイッチ５３は、例えばビデオカメラ本体の電源スイッチに相当するものであり、図３０に示す状態から矢印ｆ方向へスライドさせることで、本体内部の電源を起動させることができる。なお、スイッチ５３は、電源スイッチに限るものではない。スイッチ５３の操作面に対する裏面には孔部５３ａが形成され、孔部５３ａは開口部５２ａを挿通されてリンク５４のピン５４ａに、回転自在に嵌合される。
【０１７３】
リングユニット５１は、前枠２８（構造は図２９と同じ）とリング５６とを備え、前枠２８の外周部分にリング５６が回転自在に配される。なお、図示していないが、リングユニット５１はフロントケース２６（図２９参照）に固定されている。リング５６には係合部５６ａ及び５６ｂが設けられ、レンズバリアユニット３２（図２９参照）が装着されている状態では、レンズバリアユニット３２に設けられた突起部９ａ及び９ｂ（例えば図５参照）が係合される。
【０１７４】
以下、動作について説明する。
【０１７５】
図３０はビデオカメラ本体が未使用の状態であり、前枠２８の表面側にレンズバリアユニット３２が装着されているものとする。レンズバリアユニット３２が装着されることで、突起部９ａ及び９ｂが、係合部５６ａ及び５６ｂ（図３１参照）に係合されている。
【０１７６】
この状態からスイッチ５３を矢印ｆ方向へスライドさせると、ビデオカメラ本体の電源が投入されるとともに、孔部５３ａとピン５４ａとが嵌合されているため、リンクレバー５４はピン５５を軸に矢印ｇ方向へ回動される。リンクレバー５４が回動されると、リンクレバー５４の他端に嵌合されているリング５６が、光軸（一点鎖線）を中心に矢印ｈ方向へ回転される。リング５６が回転されると、係合部５６ａ及び５６ｂに係合されている突起部９ａ及び９ｂ（図５参照）が移動されて、レンズバリアユニット３２におけるレンズバリアを開くことができる。なお、リング５６の回転時、前枠２８は回転しない。
【０１７７】
また、スイッチ５３を矢印ｆの逆方向へスライドさせることで、上記の逆手順にて動作され、レンズバリアユニット３２におけるレンズバリアを閉じることができる。
【０１７８】
図３０及び図３１に示すように構成することで、レンズバリアを開閉させるためのモータを不要とし、コストダウンすることができるとともに消費電力を低下させることができる。
【０１７９】
また、電源スイッチなど、ビデオカメラ本体に搭載されている操作部の動作に連動させてレンズバリアを開閉させる構成としたので、レンズバリア開閉専用の操作部を設ける必要がなく、コストダウンすることができるとともに、ビデオカメラ本体を小型化することができる。
【０１８０】
なお、本実施の形態ではリング４０及びリング５６には一対の係合部（４０ａと４０ｂ、５６ａと５６ｂ）を備えた構成を例に挙げ説明したが、突起部９ａまたは９ｂの何れかを係合する片方の係合部だけを備える構成であっても、何等問題はない。さらに、リング４０及びリング５６の形状は共に円筒状に閉じた構成を例に挙げ説明したが、一方の係合部（例えば４０ａ及び５６ａ）を備える部分のみに円筒形状を備え、他の部分は切り欠いた構成であっても、適用することができる。この構成は、例えば図２９のようにモータ４１による駆動を採用する場合等に、モータ４１等の駆動源をリング４０を切り欠いた部分に嘉一することで、駆動源とリング４０との係合を避けることができるため、好ましい場合もある。
【産業上の利用可能性】
【０１８１】
本発明は、レンズを保護するレンズキャップにレンズフードの機能を一体的に構成したものであり、ビデオカメラやデジタルスチルカメラや銀塩カメラなどに有用である。
【図面の簡単な説明】
【０１８２】
【図１】本発明の実施の形態１のレンズバリアユニットを収めたビデオカメラの全体斜視図
【図２】実施の形態１のレンズバリアを開いた状態図
【図３】実施の形態１のレンズバリアを閉じた状態図
【図４】実施の形態１のレンズバリアユニットの斜視図
【図５】実施の形態１のレンズバリアユニットの内部構成を示す分解斜視図
【図６】実施の形態１のレンズバリアユニットの内部構成を示す分解斜視図
【図７】実施の形態１のレンズバリアユニットの内部構成を示す分解斜視図
【図８】実施の形態１のレンズバリアユニットの内部構成を示す分解斜視図
【図９】実施の形態１のレンズバリアユニットの内部構成を示す分解斜視図
【図１０】実施の形態１のレンズバリアユニットの内部構成を示す分解斜視図
【図１１】実施の形態１のバリア開閉機構を備えたフロント部ユニットの構成を示す分解斜視図
【図１２】実施の形態１のバリア開閉機構を備えたフロント部ユニットの構成を示す分解斜視図
【図１３】実施の形態１のバリア開閉機構を備えたフロント部ユニットの構成を示す分解斜視図
【図１４】実施の形態１のバリア開閉機構を備えたフロント部ユニットの構成を示す分解斜視図
【図１５】実施の形態１のレンズバリアユニットの正面図
【図１６】実施の形態１のビデオカメラ本体にレンズバリアユニットを取り付けたときの断面図
【図１７】実施の形態１のビデオカメラ本体に従来のレンズフードを取り付けさらに従来のレンズキャップを取り付けたときの断面図
【図１８】実施の形態１のビデオカメラ本体からレンズバリアユニットを取り外したときの断面図
【図１９】実施の形態１のビデオカメラ本体から従来のレンズフードおよびレンズキャップを取り外したときの断面図
【図２０】実施の形態１のレンズバリアを開いたときのレンズバリアユニットとフロント部ユニットの状態を示す斜視図
【図２１】実施の形態１のレンズバリアを閉じたときのレンズバリアユニットとフロント部ユニットの状態を示す斜視図
【図２２】実施の形態１のフロント部ユニットの開閉リング位置が閉まる位置にある時レンズバリアが開いているレンズバリアユニットを取り付けるときの状態を示す斜視図
【図２３】実施の形態１のフロント部ユニットの開閉リング位置が閉まる位置にある時レンズバリアが開いているレンズバリアユニットを外れた状態から取り付けるまでの内部の状態を示す断面図
【図２４】実施の形態１のレンズバリアが閉まっている状態から開く状態までの各部品の動きを示した状態を示す平面図
【図２５】実施の形態１のレンズバリアが閉まっている状態から開く状態までの各部品の動きを示した状態を示す裏面側からの平面図
【図２６】実施の形態１のレンズバリアが開いている状態から閉じる状態までの各部品の動きを示した平面図
【図２７】実施の形態１のレンズバリアが開いている状態から閉じる状態までの各部品の動きを示した裏面側からの平面図
【図２８】実施の形態２における撮像装置の構成を示す斜視図
【図２９】実施の形態２におけるフロントカバー周辺の分解斜視図
【図３０】実施の形態２における他例の回動機構の構成を示す斜視図
【図３１】実施の形態２における他例の回動機構の構成を示す分解斜視図
【図３２】従来の撮像装置の外観を示す斜視図
【図３３】従来の撮像装置の外観を示す斜視図
【図３４】従来の撮像装置の外観を示す斜視図
【図３５】従来の撮像装置の外観を示す斜視図
【符号の説明】
【０１８３】
８  ビデオカメラ本体
１１  第１のバリアケース
１４，１５，１６，１７  バリア羽根
１８  第２のバリアケース
３２  レンズバリアユニット
【図１】
2006195418.tif 000003
【図２】
2006195418.tif 000004
【図３】
2006195418.tif 000005
【図４】
2006195418.tif 000006
【図５】
2006195418.tif 000007
【図６】
2006195418.tif 000008
【図７】
2006195418.tif 000009
【図８】
2006195418.tif 000010
【図９】
2006195418.tif 000011
【図１０】
2006195418.tif 000012
【図１１】
2006195418.tif 000013
【図１２】
2006195418.tif 000014
【図１３】
2006195418.tif 000015
【図１４】
2006195418.tif 000016
【図１５】
2006195418.tif 000017
【図１６】
2006195418.tif 000018
【図１７】
2006195418.tif 000019
【図１８】
2006195418.tif 000020
【図１９】
2006195418.tif 000021
【図２０】
2006195418.tif 000022
【図２１】
2006195418.tif 000023
【図２２】
2006195418.tif 000024
【図２３】
2006195418.tif 000025
【図２４】
2006195418.tif 000026
【図２５】
2006195418.tif 000027
【図２６】
2006195418.tif 000028
【図２７】
2006195418.tif 000029
【図２８】
2006195418.tif 000030
【図２９】
2006195418.tif 000031
【図３０】
2006195418.tif 000032
【図３１】
2006195418.tif 000033
【図３２】
2006195418.tif 000034
【図３３】
2006195418.tif 000035
【図３４】
2006195418.tif 000036
【図３５】
2006195418.tif 000037